(57)【要約】【課題】  パイプを挿入するだけで接続することのできる管継手において、パイプの継手本体に対する挿入不足を容易に発見できるようにする。【解決手段】パイプ３５を挿入可能な継手本体１の収容室９に、パイプ３５をシールするシール部材３３とパイプ３５の抜け止めを行なう抜け止め部材３４とを収容した管継手Ａにおいて、前記収容室９には通水部材１０を収容し、この通水部材１０はパイプ３５が正常に挿入された場合に水の通過を許容し、パイプ３５が挿入不足の場合に水の通過を遮断するようにした。【選択図】  図２
2005133812.tif 000002
【特許請求の範囲】
【請求項１】
パイプを挿入可能な継手本体の収容室に、パイプをシールするシール部材とパイプの抜け止めを行なう抜け止め部材とを収容した管継手において、前記収容室には通水部材を収容し、この通水部材はパイプが正常に挿入された場合に水の通過を許容し、パイプが挿入不足の場合に水の通過を遮断することを特徴とする管継手。
【請求項２】
前記通水部材は、継手本体の収容室に収容される略円筒状のケースの内部に、通水孔が穿設された固定リングと、この固定リングと向かい合うように収容され通水孔が穿設された可動リングと、両リングを離れる方向に付勢するための弾性部材とが収容され、ケースの外周には可動リングを固定リングに対し密着させ、パイプにより押圧されると両リングの密着を解除するストッパーリングが装着されたことを特徴とする請求項１記載の管継手。
【請求項３】
前記通水部材のケースには両リングの抜け出しを防止するために鍔部が形成され、パイプが正常に挿入された場合に可動リングが鍔部に当接すると衝突音が発生するようにしたことを特徴とする請求項２記載の管継手。
【発明の詳細な説明】
【技術分野】
【０００１】
本発明は、給水用，給湯用等のパイプが接続される管継手に関するものである。
【背景技術】
【０００２】
従来、給水用，給湯用のパイプを挿入するだけで接続することができ、しかも容易に抜けないようにした差込式の管継手において、パイプが管継手に対し正常に接続されているかを確認できるようにしたものとして公知のものに、特許文献１のものがある。
【０００３】
この特許文献１の管継手は、パイプの挿入を許容するスリーブが形成されたソケットと、スリーブの外周面に形成された溝孔に装着されるシール部材と、前記ソケットの内側でスリーブと向かい合う食い込み溝が形成されたリングと、このリングを締め付けるキャップとからなり、前記ソケットの周面には、ソケットに挿入されたパイプの先端を目視できる確認孔が複数個穿設されている。そして、キャップをソケットに螺着した後にパイプをスリーブとキャップとの間に挿入すると、パイプの外周面にはリングの食い込み溝が食い込み固定され、確認孔からはパイプの先端がスリーブの奥まで正常に接続されているかを、目視して確認することができるものである。
【０００４】
【特許文献１】特開２００３−８３４８５号公報
【発明の開示】
【発明が解決しようとする課題】
【０００５】
このような管継手は、確認孔を目視することによりパイプのスリーブに対する挿入状態を確認することができるものであるが、作業者が確認孔を意識して目視しないと、パイプが正常に挿入されているか挿入不足であるかを確認することができず、正常に挿入されていない状態でも、正常に接続されていると判断されてしまう恐れがある。従って、パイプが管継手に対し正常に接続されていないことを発見することができない恐れがあった。
【０００６】
本発明は、このような従来の技術に存在する問題点に着目してなされたものであり、その課題は、パイプを挿入するだけで接続することのできる管継手において、パイプの継手本体に対する挿入不足を容易に発見できるようにすることである。
【課題を解決するための手段】
【０００７】
上記目的を達成するため、請求項１に記載の発明は、パイプを挿入可能な継手本体の収容室に、パイプをシールするシール部材とパイプの抜け止めを行なう抜け止め部材とを収容した管継手において、前記収容室には通水部材を収容し、この通水部材はパイプが正常に挿入された場合に水の通過を許容し、パイプが挿入不足の場合に水の通過を遮断するようにしたことを特徴とするものである。
【０００８】
請求項２に記載の発明は、請求項１に記載の発明において、前記通水部材は、継手本体の収容室に収容される略円筒状のケースの内部に、通水孔が穿設された固定リングと、この固定リングと向かい合うように収容され通水孔が穿設された可動リングと、両リングを離れる方向に付勢するための弾性部材とが収容され、ケースの外周には可動リングを固定リングに対し密着させ、パイプにより押圧されると両リングの密着を解除するストッパーリングが装着されたことを特徴とするものである。
【０００９】
請求項３に記載の発明は、請求項２記載の発明において、前記通水部材のケースには両リングの抜け出しを防止するために鍔部が形成され、パイプが正常に挿入された場合に可動リングが鍔部に当接すると衝突音が発生するようにしたことを特徴とするものである。
【発明の効果】
【００１０】
本発明の請求項１の管継手によると、パイプが管継手に対し正常に接続されていない状態で通水を行なうと、通水部材により通水状態が遮断され、正常な接続状態でないことを素早く認識することができる。また、パイプが管継手に対し正常に接続されていれば、通水部材により通水を行なうことができ、従来の管継手のように確認孔を目視しなくてもパイプの接続状態を確認することができる。
【００１１】
請求項２の管継手によると、通水部材はケースに各物品が収容されるため、継手本体の収容室に収容するのみで装着することができ、組み立て作業を容易に行なうことができる。
【００１２】
請求項３の管継手によると、パイプが管継手に対し正常に接続されると、リングがケースの鍔に弾力的に衝突することで衝突音が発生するため、水の通水状態だけでなく、衝突音によりパイプの接続状態を確認することができる。
【発明を実施するための最良の形態】
【００１３】
以下、本発明の実施例を図に基づいて詳細に説明する。
【実施例１】
【００１４】
本発明の管継手Ａは図１及び図２に示すように、パイプ３５が挿入される環状の通水路２が形成された継手本体１と、前記通水路２に収容される通水部材１０と、この通水部材１０と継手本体１との間に装着されるシール部材３３と、パイプ３５の抜け止めを行なう抜け止め部材３４とを備えている。
【００１５】
前記継手本体１は金属材料からなるもので、略円筒状で、内部軸線方向には水又は湯（以下、本実施例では水として説明する。）が通過する通水路２が貫通して形成されており、略中央にはスパナ等の締め付け工具が係止されるように、外周面を例えば六角形状とした工具係止部３が形成され、この工具係止部３の一端側外周に、他の継手に接続するための雄ねじ部５を備えた連結部４が形成され、他端側の外周にはこの連結部４よりやや大径で、内部に前記通水部材１０及びパイプ３５を収容するための収容室９を備えた保持部６が形成されている。また、この保持部６の内周には通水部材１０が着座して支持される第１支持部７と、この第１支持部７より上部外周側で、パイプ３５の端面と向かい合う第２支持部８とが形成されている。
【００１６】
前記継手本体１の通水路２には通水部材１０が収容される。この通水部材１０は中空状のケース１１と、このケース１１に挿入され互いに向かい合う一対のリング１４，２１と、互いのリング１４，２１を引き離す方向へ付勢させる弾性部材２８と、ケース１１の外周面に摺動自在に装着され、必要に応じて一方のリング２１をケース１１の内部で固定するためのストッパーリング２９とを備えている。
【００１７】
前記ケース１１は継手本体１の収容室９に収容される寸法に形成され、一方の内周面にはリング１４，２１がケース１１から抜け出ることがないようにするための内向きの鍔部１２が形成され、この鍔部１２より下方の周壁にはストッパーリング２９を係止するための係止孔１３が、同一外周面上に等間隔で複数個穿設されている。
【００１８】
前記リングは固定リング１４と可動リング２１とからなり、互いのリング１４，２１はセラミックス又は樹脂からなり、上下に水密的に密着させた状態でケース１１の内部に収容される。固定リング１４は略円板型で、一方の面で可動リング２１と向かい合う側から凹設されており、その凹設された内周部の中心に軸孔１５が穿設され、この軸孔１５の中心から支持棒１６が立設している。また、軸孔１５から外周面に向けて略十字形の隔壁１７が形成されており、この隔壁１７により内周部は４個の部屋に分割されている。この４個の部屋は何れも同一形状で、軸孔１５を中心として互いに向かい合う２位置に略扇形の第１通水孔１８，１８が穿設され、図３に示すようにこの第１通水孔１８，１８は上下方向に貫通している。また、第１通水孔１８と隣り合う部屋には止水部１９，１９が形成され、この止水部１９は底面に止水面２０が形成されているため、上下には貫通していない。
【００１９】
前記可動リング２１は略円板型で、図３に示すように互いの外径が異なる大径部２２と小径部２６とが一体に形成されている。前記大径部２２は外周面に前記ストッパーリング２９を固定するための係合孔２３が環状に形成されており、この大径部２２は前記固定リング１４の各第１通水孔１８，１８に対し上下に重なり合わない位置に一対の第２通水孔２４，２４が上下に貫通して穿設されている。前記小径部２６の中心には、前記固定リング１４の支持棒１６が収容される嵌合部２７が形成されており、この嵌合部２７の外周に例えばスプリング等の弾性部材２８を装着することで、固定リング１４と可動リング２１とは互いに水密的に密着させたり、離れる方向へ付勢させることができるようにしている。大径部２２の底面側には固定リング１４の第１通水孔１８に嵌合する凸部２５が形成されており、固定リング１４と可動リング２１とが互いに重なり合い密着した状態では、固定リング１４の止水部１９により流路は遮断され、互いの通水孔１８，２４は連通することはなく、固定リング１４と可動リング２１とが弾性部材２８の付勢力により離れた状態では、互いの通水孔１８，２４は連通した状態となり、水は通水されるものである。
【００２０】
前記ストッパーリング２９はケース１１の外周面に装着され、その軸心方向に対して移動自在であり、ケース１１より大径に形成されたリング部３０と、このリング部３０から垂直方向に突出した脚部３１とからなり、この脚部３１はリング部３０の外周面に沿って等間隔で４個形成され、脚部３１の先端は内周側に向けて係合爪３２が形成され、この係合爪３２は前記ケース１１の係止孔１３に挿通した場合に、可動リング２１の係合孔２３に係合することで、可動リング２１がケース１１の内部で上下に移動しないように固定するものである。
【００２１】
前記パイプ３５は例えばポリエチレン，ポリプロピレン等の樹脂製であり、継手本体１に収容された通水部材１０と保持部６との間に挿入されるものであり、通水部材１０と保持部６との間には、継手本体１とパイプ３５とを水密的にシールするためのシール部材３３と、挿入されたパイプ３５が継手本体１から引き抜けないようにするための抜け止め部材３４とが収容される。
【００２２】
本発明においてパイプ３５を管継手Ａに接続するには、図２に示すようにまず継手本体１の収容室９に通水部材１０を収容しておく。通水部材１０はケース１１の外周面にストッパーリング２９を装着させており、このストッパーリング２９の係合爪３２がケース１１の係止孔１３を挿通して可動リング２１の係合孔２３に係合させているため、可動リング２１はケース１１の内部で上下に移動しないようにしている。また、通水部材１０より先端の開口側には、シール部材３３と抜け止め部材３４とを収容しておく。
【００２３】
次にパイプ３５の先端を継手本体１の収容室９へ挿入し、通水部材１０に外嵌させると、パイプ３５は先端面がストッパーリング２９のリング部３０に密着する。図２に示すように、パイプ３５が収容室９の奥まで挿入されておらず、ストッパーリング２９の係合爪３２がケース１１の係止孔１３を挿通して可動リング２１の係合孔２３に係合させている状態では、固定リング１４と可動リング２１とは水密的に密着している。この状態で連結部４側の通水路２から水が通水された場合、可動リング２１はストッパーリング２９により上下に移動しないように固定された状態であるため、固定リング１４から離れることはなく、固定リング１４の第１通水孔１８と可動リング２１の第２通水孔２４とは固定リング１４の止水部１９により流路が遮断されるため、止水状態のままである。従って、作業者は水がパイプ３５側へ通水しないことでパイプ３５が収容室９の奥まで挿入されておらず、正常な接続状態でないことを確認することができる。
【００２４】
次に図５に示すように、パイプ３５をさらに継手本体１の収容室９の奥まで挿入すると、パイプ３５の先端がストッパーリング２９のリング部３０を押圧し、ストッパーリング２９が収容室９の奥へ向けて移動し、ストッパーリング２９の係合爪３２は可動リング２１の係合孔２３から解除される。すると、この状態では可動リング２１は弾性部材２８の付勢力が働き、可動リング２１はケース１１の鍔部１２に当接するまで移動する。この時、可動リング２１が弾性部材２８の付勢力で勢いよく鍔部１２に衝突するため衝突音が発生し、この衝突音の発生により作業者に対しパイプ３５が継手本体１に対し正常に接続されたことを知らせることができるものである。
【００２５】
この場合、固定リング１４と可動リング２１とは弾性部材２８の付勢力により離れているため、連結部４側から供給される水は固定リング１４の第１通水孔１８を通過し、そして可動リング２１の第２通水孔２４を通過するため、パイプ３５に供給される。
【００２６】
以上のように本発明では、パイプが管継手に対し正常に接続されていない状態では通水を行なうことができず、正常な接続状態でないことを素早く認識することができるため、パイプを再度正しい位置まで挿入して接続することで、接続不良を無くすことができるものである。
【００２７】
なお、本実施例では水は継手本体の連結部側からパイプに向けて水が通過する例を説明したが、パイプから連結部に向けて水が通過する場合でもよい。また、通水部材により水の流路を遮断したり、通水させる構造については本実施例に限定されるものではない。
【図面の簡単な説明】
【００２８】
【図１】管継手の分解斜視図である。
【図２】管継手にパイプを接続する途中の状態の縦断面図である。
【図３】通水部材の固定リング及び可動リングを下から見た状態の斜視図である。
【図４】通水部材の斜視図である。
【図５】管継手にパイプを正常に接続した状態の縦断面図である。
【符号の説明】
【００２９】
１              ：継手本体
９              ：収容室
１０            ：通水部材
１１            ：ケース
１２            ：鍔部
１４            ：固定リング
１８            ：第１通水孔
２１            ：可動リング
２４            ：第２通水孔
２８            ：弾性部材
２９            ：ストッパーリング
３３            ：シール部材
３４            ：抜け止めリング
３５            ：パイプ
Ａ              ：管継手
【図１】
2005133812.tif 000003
【図２】
2005133812.tif 000004
【図３】
2005133812.tif 000005
【図４】
2005133812.tif 000006
【図５】
2005133812.tif 000007